(57)【要約】  本発明はパウチ容器に関することで、液状収容物を収容するパウチ本体と、前記パウチ本体の中に挿入される挿入部と、前記液状収容物を注入もしくは引出する一愚痴部及び前記挿入部と入口部を連結する連結部を含めて、前記液状収容物の管状の流出入通路を提供する内管と、前記内管の材質より軟質で成り立ち、前記連結部及び前記入口部の中で少なくとも一つを取り囲むように形成された外管と、を含めることを技術的な要旨とする。これに従い入口部の一部が軟質材料となっていて、飲用の際、消費者の不便を減少させて傷害を防げる効果を提供する。
2017500253.tif 000002
【特許請求の範囲】
【請求項１】
液状収容物を収容するパウチ本体と注入管を有するパウチ容器において、
前記注入管は、
前記パウチ本体の中に挿入される挿入部と前記液状収容物を注入もしくは引出する入口部及び前記挿入部と前記入口部を連結する連結部を有し、前記液状収容物の管状の流出入通路を提供する内管と、
前記内管の材質より軟質で成り立ち、前記連結部及び前記入口部の中で少なくとも一つを取り囲むように形成された外管と、
を有することを特徴とするパウチ容器。
【請求項２】
前記外管は前記連結部と入口部をすべて取り囲むように形成されたことを特徴とする、請求項１に記載のパウチ容器。
【請求項３】
前記連結部は半径方向の外側へ突出された少なくとも一つのフランジを含めることを特徴とする、請求項１に記載のパウチ容器。
【請求項４】
前記外管は少なくとも一つのフランジを取り囲むように形成されたことを特徴とする、請求項3に記載のパウチ容器。
【請求項５】
前記内管の入口部はキャップを固定するネジを有し、
前記外管は前記入口部のネジを取り囲むように形成されることを特徴とする、請求項１に記載のパウチ容器。
【請求項６】
液状収容物を収容するパウチ本体と注入管を有するパウチ容器において、
前記注入管は、
前記パウチ本体内に挿入される挿入部及び前記挿入部と一体型で形成され、半径方向の外側へ突出された少なくとも一つのフランジを有するフランジ部を備える第1管部と、
前記フランジ部の端部に連結され、前記液状収容物を注入もしくは引出する入口を形成し、前記第1管部の材質より軟質で成り立つ第2幹部と、
を有することを特徴とするパウチ容器。
【請求項７】
パウチ容器の製造方法において、
前記パウチ本体内の挿入される挿入部、前記液状収容物を注入もしくは引出する入口部及び前記挿入部と前記入口部を連結する連結を有し、前記液状収容物の管状の流出入通路を提供する内管を形成する段階と、
前記内管の材質より軟質の材料で前記内管の連結部及び前記入口部の中で少なくとも一つを取り囲むように外管を形成する段階、
を含めることを特徴とするパウチ容器の製造方法。
【請求項８】
前記内管を形成する段階及び外管を形成する段階は射出成型を含むことを特徴とする、請求項7に記載のパウチ容器の製造方法。
【請求項９】
前記外管の形成段階はコーティングを含むことを特徴とする、請求項7に記載のパウチ容器の製造方法。
【発明の詳細な説明】
【技術分野】
【０００１】
本発明はパウチ容器に関する。
【背景技術】
【０００２】
スラッシュ状のアイスクリームかゼリーのような液状収容物を包装して販売するパウチは合成樹脂フィルムもしくは金属材シートで作られたパウチ本体と、パウチ内部に保管する液状収容物を注入もしくは引出するためのプラスチック等のような硬質材料で作られた管状の注入管を含む。
【０００３】
消費者は硬質の注入管を通し、パウチ内の内容物を飲用するが、飲用時に硬質の注入管により唇もしくは口の中が損傷を受ける場合が発生している。
【０００４】
特に、注入管にはパウチに内容物を入れる製造過程に必要な多数の鋭いフランジが配置されている。子供たちはパウチ注入管のフランジ部分まで口の中に入れて飲用する可能性が高く、唇もしくは口の中を損傷する可能性が高い。
【発明の概要】
【発明が解決しようとする課題】
【０００５】
したがって、本発明の目的はパウチ容器内の液状収容物を飲用する際、消費者の不便さを減少させ、傷害を防ぐことのできるパウチ容器を提供することである。
【課題を解決するための手段】
【０００６】
上記した目的は本発明の実施例に従い、パウチ容器においての液状収容物を収容するパウチ本体と、前記パウチ本体内に挿入される挿入部と前記液状収容物を注入もしくは引出する入口部及び前記挿入部と前記入口部を連結する連結部を含めて、前記液状収容物の管状の流出入通路を提供する内管と、前記内管の材質より軟質で成り立ち、前記連結部及び前記入口部の中で少なくとも一つを取り囲むように形成された外管、を含むことを特徴とするパウチ容器により達成される。
【０００７】
ここで、前記外管は前記連結部と入口部をすべて取り囲むように一体型で形成されることが望ましい。
【０００８】
また、前記連結部は半径方向の外側へ突出された少なくとも一つのフランジを含め、前記外管は少なくとも一つのフランジを取り囲むように形成され消費者が傷害を受けることを防ぐ。
【０００９】
前記内管の入口部はキャップを固定するネジを含め、前記外管は前記入口部のネジを包み隠すように形成されることが望ましい。
【００１０】
上記した発明の他の目的は他の実施例に従うパウチ容器において、液状収容物を収容するパウチ本体と、前記パウチ本体の中に挿入される挿入部及び前記挿入部と一体型で形成され、半径方向の外側へ突出された少なくとも一つのフランジを持つフランジ部を含める第1管部と、前記フランジ部の端部に連結され、前記液状収容物を注入もしくは引出する入口を形成し、前記第1管部の材質より軟質で成り立っている第2管部と、を含めることを特徴とするパウチ容器により達成される。
【００１１】
上記した発明の又異なる目的はパウチ容器の製造方法において、前記パウチ本体の中に挿入される挿入部、前記液状収容物を注入もしくは引出する入口部及び前記挿入部と前記入口部を連結する連結部を含め、前記液状収容物の管状の流出入通路を提供する内管を形成する段階と、前記内管の材質より軟質の材料で、前記内管の連結部及び前記入口部の中で少なくとも一つを取り囲むように外管を形成する段階と、を含めることを特徴とするパウチ容器の製造方法により達成される。
【００１２】
ここで前記内管を形成する段階及び外管を形成する段階は射出成型を含むことが望ましく、場合によって、前記外管形成段階はコーティングを含めることもできる。
【発明の効果】
【００１３】
上述した構成を持つ本発明によると、入口部の一部が軟質材料になっており、飲用時に消費者の不便さを減少させ、障害を防ぐことのできる効果を提供する。
【図面の簡単な説明】
【００１４】
【図１】本発明の実施例に従うパウチ容器の斜視図である。
【図２】第1実施例に従う図１のII‐IIの断面図である。
【図３】第2実施例に従う図１のII‐IIの断面図である。
【図４】第3実施例に従う図１のII‐IIの断面図である。
【図５】第4実施例に従う図１のII‐II の断面図である。
【図６】パウチ容器の製造方法の工程を表す順序図である。
【発明を実施するための形態】
【００１５】
以下、本発明に従う実施例を図面参照して説明することにする。
【００１６】
本発明の第1実施例に従うパウチ容器は、図1に図示されたことのように、パウチ本体100と、一部がパウチ本体100の中に挿入される注入管300と、注入管300を開閉するキャップ200で成り立つ。
【００１７】
スラッシュ状になっているアイスクリームかゼリーのような液状収容物を収容するパウチ本体100は、一般的に合成樹脂フィルム、金属材シートもしくは複数のシートが積層された材料で製作される。パウチ本体100は前記液状収容物が漏れることのないように大体中央部分を除いたところようにその外周で接着もしくは融合のような方法を利用して密封する。密封していない前記中央部分には注入管300を挿入し、注入管300が一緒に接着して密封される。
【００１８】
図２に図示されたところのように、注入管300は液状収容物の管状の流出入通路を提供する内管310と内管310を取り囲む外管320を含める。
【００１９】
パウチ本体100の中に部分的に挿入される内管310は単一形態になっているが、便宜上で挿入部311、入口部313、連結部312と区分して説明する。
【００２０】
入口部313、挿入部311及び連結部312は単一管形態で一体型で射出成型されることが望ましいが、場合によって、それぞれの材質は異なって形成されることができる。ここで内管310はプラスチックかPETのように人体に無害な材質で製造される。
【００２１】
挿入部はパウチ本体100の中に挿入され、挿入部311は押され等のような外力により流出入通路が塞がれパウチ本体100内部に貯蔵された前記液状収容物が流入及び流出されないことを防ぐ為、管状の形態を維持できるように比較的に硬質の材料で製造される。
【００２２】
液状収容物を注入もしくは引出する入口部313は内管310で外側端部領域に存在し、内管ネジ部313aを含める。内管ネジ部313aは外側に形成される後述する外管320を堅く支持する為、半径方向の外側に突出されている。もちろん、内管ネジ部313aは省略可能である。入口部313の端部は消費者の口の中か唇が触れるところで、角張らない円形で形成されることが望ましい。
【００２３】
連結部312は挿入部311と入口部313を連結し、前記液状収容物が通れるように管状で形成される。連結部312は後述する外側外管のフランジ部322が配置される。
【００２４】
内管310の半径方向の外側へは内管310の材質より軟質で成り立っている外管320が配置されている。外管320はフランジ部322と外管入口部323を含むことができる。
【００２５】
フランジ部322は内管310の連結部312を取り込んで、半径方向の外側へ延長された複数のフランジ322a、322b、322cを含めている。複数のフランジ322a、322b、322cは前記液状収容物を入れ込む過程でパウチ本体100の中に前記液状収容物を注入する際、パウチ本体100を支持させるか、多数のパウチ本体100を同時に移動させる際、支持されるように形成される。
【００２６】
外管入口部323は前記フランジ部322に連結され、内管310の入口部313に対応する位置に配置される。外管入口部323は内管ネジ部313aに対応する外管ネジ部323aを含めている。外管ネジ部323aはキャップ200を固定させるようにオネジ部形態に成り立っており、キャップ200は外管ネジ部323aに対応するメネジ部を含めるように形成される。
【００２７】
フランジ部322と外管入口部323で成り立つ外管320は内管310より軟質の材料で形成される為、消費者が前記液状収容物の飲用の為に唇などが触れる場合、不便さもしくは傷害発生を最小化することになる。
【００２８】
外管320は消費者の唇が直接触れるところなので、人体に無害な材質を使用する。内管310は比較的に硬質で人体に無害なプラスチックであるPVC(polyvinyl  chloride)かPS(polystyrene)のどちらかを使用することができるし、外管320は内管310より軟質で成りたち、人体に無害なプラスチックであるPET(polyethylene  terephthalate)かPE(polyethylene)のどちらかで製造されるのが望ましい。
【００２９】
外管320は1次射出成型された内管310に対する2次射出成型を通じて内管310を取り囲むように形成されることができる。場合によってフランジ部322と外管入口部323はそれぞれ異なる軟質の材料で形成されることもできる。又、フランジ部と外管入口部はお互いに分離しで製造することもできる。
【００３０】
図3は本発明の第2実施例に従うパウチ容器に使用される注入管400を表しているものである。
【００３１】
挿入管400は液状収容物の管状の流出入通路を提供する内管410と内管410を取り囲む外管420で成り立っている。
【００３２】
内管410は前記液状収容物の流出入のできるように流出入通路の変形が発生しない比較的に硬質の材料で製造される。
【００３３】
内管410は単一管の形態になっているが、便宜上で挿入部411、入口部413及び連結部412と区分して説明する。
【００３４】
挿入部411はその端部がパウチ本体100の中に挿入され、パウチ本体100と一緒に接着されている。
【００３５】
連結部412には前記液状収容物の注入工程において必要な複数のフランジ412a、412b、412cが半径方向の外側へ突出されている。フランジ412a、412b、412cは連結部412と同一な材料で一体型で形成されている。フランジ412a、412b、412cが比較的に硬質で形成されている為、前記液状収容物を注入する為の工程でレールにパウチを支持する機能を適切に随行することができる。
【００３６】
前記液状収容物を注入もしくは引出する入口部413は前記連結部412に連結され、内容物を挿入もしくは引出する入口を含めている。入口部413は内観ネジ部413aを含めることができる。内管ネジ部413aは後述する外側の外観420を固く支持する役割をする。
【００３７】
図3に表したところのように外管420は内管410の入口部413に対応する位置に配置される。外管420は入口部413より軟質の材料で成り立つ。
【００３８】
したがって、軟質で製造された外管420は消費者の唇がふれる入口部413に対応する位置に配置され、消費者の口か唇が傷害を受けることを防ぐ。
【００３９】
外管420は内管ネジ部413aに対応し、半径方向へ突出された外管ネジ部423aを含む。外管ネジ部423aはオネジ部の形態で成り立てられ、メネジ部を持つキャップ200が外管420に装着できるようにする。
【００４０】
外管420は1次射出成型によって製作された硬質の内管410に対して2次射出工程を通じて製造されることができる。場合によって、外管420はコーティング工程を通しても製造できる。
【００４１】
内管410及び外管420は消費者の口の中か唇に触れる為、人体に無害な材質で製造されなければならない。内管410は比較的に硬質で人体に無害なプラスチックであるPVCかPSの中でどちらかが使えるし、外管420は内管410より軟質で成り立ち、人体に無害なプラスチックであるPETかPEの中でどちらかで製造されるのが望ましい。
【００４２】
図4は本発明の第3実施例に従うパウチ容器に使用する注入管500を表しているものである。
【００４３】
注入管500は液状収容物の管状の流出入通路を提供する内管510と内管510を取り囲む外管520で成り立つ。
【００４４】
内管は前記液状収容物の流出入の出来るように流出入通路の変形が発生しない比較的硬質の材料で製造される。ここで内管は硬質で人体に無害なPVCかPSの中でどちらかを使用することが望ましい。
【００４５】
内管510は挿入部511、入口部513及び挿入部511と入口部513を連結する連結部512が単一の管状で成り立っているが、便宜上これらを区分して説明する。
【００４６】
挿入部511はパウチ本体100の中に挿入され、前記液状収容物の流出入が可能な管状で成り立つ。
【００４７】
入口部513は内管510から連結部512に連結され、内容物を挿入もしくは引出する入口を含めている。入口部513は内管ネジ部513aを含むことができる。内管ネジ部513aは半径方向の外側へ突出されて、後述する外側の外管520を固く支持する役割をする。
【００４８】
図4に表したところのように連結部512には連結部から一体型で半径方向へ突出された複数の内管フランジ512a、512b、512cが形成される。
【００４９】
外管520は内管ネジ部513aに対応する外管ネジ部523aを持つ外管ネジ部523と、内管フランジ512a、512b、512cを取り囲む外管フランジ522a、522b、522cを持つフランジ部522が同一な材質で一体型で形成される。外管520は実際には一体型で形成されているが、説明の便宜の為に外管入口部523とフランジ部522に区分する。
【００５０】
外管520は内管510より軟質の材質で形成され、これにより消費者が前記液状収容物を飲用する際、傷害を受けないようにする。また、内管フランジ512a、512b、512cは外管520で取り囲まれ消費者の唇を保護するが、内部の内管フランジ512a、512b、512c自体は硬質で成り立つ。したがって、前記液状収容物を注入する為の工程で、レールにパウチを支持する機能を適切に随行することができる。
【００５１】
場合によって複数の内管フランジ512a、512b、512cの中で消費者の唇の触れる入口部513と近くの位置の内管フランジ512aだけ外管520で取り囲むように形成されるか、入口部513を除いた内管フランジ512a、512b、512cだけ外管520で取り囲むように取り囲むことも可能である。外管520は射出成型で製造され、軟質の材料でコーティングすることもできる。
【００５２】
外管は内管より軟質で人体に無害なPETかPEの中、どちらかで製造されることが望ましい。
【００５３】
図5は本発明の第4実施例に従うパウチ容器に使用する注入管600を表したものである。
【００５４】
注入管600は第1管部610と、第1管部610と結合し、第1管部610より軟質の材質で形成された第2管部620で成り立つ。
【００５５】
第１管部610及び第2管部620は消費者の口の中か唇が触れる為、人体に無害な材質で製造されなければならない。第1管部410は液状収容物の流出入のできるように流出入通路の変形が発生しない材料を使用しなければならない。したがって、比較的に硬質で人体に無害なプラスチックであるPVCかPSの中でどちらかを使うことができる。外管420は消費者の口の中か唇に傷害を受けないように 内管410より軟質で成り立ち、人体に無害なプラスチックであるPETかPEの中のどちらかで製造されることが望ましい。
【００５６】
第1管部610はパウチ本体100の中に挿入される挿入部611と、挿入部611と一体型で形成され、半径方向の外側へ突出された複数のフランジ612a、612b、612cを持つフランジ部612を含める。第1管部610は一体型で形成されているが、説明上の便宜の為、挿入部611とフランジ部612に区分して説明する。
【００５７】
フランジ部612の端部には結合溝612dが形成されていて、結合突起622dを持つ第2管部620と結合する。第2管部620は消費者が前記液状収容物を飲用できるように、消費者の口か唇に触れるところで前記液状収容物の流出口であり、キャップ200と結合するネジ部623aを含めている。
【００５８】
第2管部620は第1管部610より軟質で形成されていて、飲用の際、消費者の傷害を減らすことができる。また、消費者の傷害を減らす為に第2管部620は角のない円筒で形成されることが望ましい。
【００５９】
第1管部610と第2管部620の結合方法としては、まず第1管部610及び第2管部620を、それぞれ射出成型などを使って形成した後、軟質の第2管部620を第1管部610へ強引な差し込み方式を利用して第1管部610の結合溝612bと第2管部620の結合突起620bがお互いに結合されるようにする。
【００６０】
このような方法以外にも第2管部620を1次的に成型した後、結合突起620bに合わせて第1管部610を2次成型する方法を利用して製造できる。
【００６１】
図6に図示されたところのように本発明に従うパウチ容器の注入管300、400、500、600の製造方法は、まず、内管310を形成した後S1、連結部及び入口部の中で少なくとも一つを取り囲む外管を形成する。
【００６２】
以下、図2ないし5に説明された第1ないし第4実施例に従う注入管の製造方法を詳しく説明したら、次のようである。
【００６３】
まず、第1実施例に従う注入管300はパウチ本体100の中に挿入される挿入部311、前記液状収容物を注入もしくは引出する入口部313及び挿入部311と入口部313を連結する連結部312を含める内管310が形成されるS2。内管310は前記液状収容物の通過できるように管状の流出入通路を提供できるよう形成される。
【００６４】
内管310を取り囲む外管320を形成するS2。フランジ部322と外管入口部323で成り立つ外管320は内管310の材質より軟質の材料で形成され、パウチ本体100内に収容された前記液状収容物を飲用する消費者が飲用時に硬質の内管310に切れる等の唇へ傷害を受けることを防ぐ。
【００６５】
第2実施例に従う注入管400は先に内管が形成されるS1。挿入部411、入口部413及び挿入部411と入口部413を連結する連結部412を含める内管410は前記液状収容物が通過できるように管状の流出入通路を提供するように形成される。挿入部411、入口部413及び連結部412は射出成型を利用して一体型で形成される。挿入部は半径方向の外側へ延長され、挿入部と同一な材質のフランジ412a、412b、412cを持つ。
【００６６】
入口部413を取り囲む外管420を形成するS2。第1実施例とは違ってフランジ412a、412b、412cは内管410から延長されるように形成されるので、連結部412ではなく入口部413だけを取り囲むように製造される。外管420は内管410より軟質の材料で製造され、場合によって射出成型ではなく軟質でコーティングする工程でも製造できる。
【００６７】
第3実施例に従う注入管は500先に内管510が形成されるS1。挿入部511、入口部513及び連結部512を含める内管510は前記液状収容物の通過できるように管状の流出入通路を提供するように形成される。挿入部511、入口部513及び連結部512は射出成型を利用して一体型で形成される。連結部512には連結部512と同一な材質で形成され、半径方向の外側へ突出された内管フランジ512a、512b、512cが存在する。
【００６８】
内管フランジ512a、512b、512c及び入口部513を取り囲む外管520を形成するS2。消費者によって入口部だけではなく、内管フランジ512a、512b、512cまで口か唇が触れながら飲用する場合があるので、比較的に硬質の内管フランジ512a、512b、512cによる傷害を受けることがある。これを防ぐために、内管フランジ512a、512b、512cを取り囲む外管フランジ522a、522b、522cを形成する。
【００６９】
外管520は内管510より軟質の材料で製造され、入口部513及び内管フランジ512a、512b、512cを取り囲むように射出成型で製造される。場合によって射出成型ではなく軟質でコーティングする工程でも製造できる。
【００７０】
第4実施例に従う注入管600は先に第1管部610が形成される。第1管部610は挿入部611と半径方向の外側へ突出された複数のフランジ612a、612b、612cと端部へ結合溝612dを持つフランジ部612が形成される。第1管部610は比較的に硬質の材料で一体型で形成される。
【００７１】
結合突起622dを持つ第2管部620を形成する。第2管部620は第1管部610より軟質の材料で射出成型によって形成される。第1管部610及び第2管部620が形成された後、第1管部610の結合溝612dと第2管部620の結合突起622dはお互いに強引な押し込み等の方法を使って結合される。
【図１】
2017500253.tif 000003
【図２】
2017500253.tif 000004
【図３】
2017500253.tif 000005
【図４】
2017500253.tif 000006
【図５】
2017500253.tif 000007
【図６】
2017500253.tif 000008
【国際調査報告】
2017500253.tif 000009
2017500253.tif 000010
2017500253.tif 000011
2017500253.tif 000012